(57)【要約】【課題】  ユーザの使用量を制限できる可般型音声合成装置を提供する。また、ユーザがある所定の使用料金を支払うことにより、該可般型音声合成装置の使用制限を解除できるようにする。【解決手段】  可般型音声合成装置に、生成した合成音声を該可搬型音声合成装置の記憶領域に音声ファイルとして書き込む機構、及び、該記憶領域の残量を算出する機構を設け、残量が予め設定したしきい値を下回ったかどうかを判定し、残量がしきい値を下回った場合に、動作している音声合成プログラムを停止し、該可搬型音声合成装置を使用不能にするようにする。また、使用不能となった可搬型音声合成装置に対して、サーバもしくは該可搬型音声合成装置に、ユーザがある所定の金額の料金を支払ったかどうかを確認する機構、及び、支払いが確認されたあとにすでに書き込まれている音声ファイルを消去する機構を設けるようにする。【選択図】  図１３
2008040374.tif 000002
【特許請求の範囲】
【請求項１】
テキスト列を入力し合成音声に変換する音声合成プログラム及び該音声合成のために使用する素片データを格納した、パソコン本体に装着しユーザのコマンド入力により起動するＵＳＢコネクタ等を有する可搬型外部記憶媒体において、生成した合成音声を該可搬型外部記憶媒体に音声ファイルとして書き込む合成音声格納手段を有することを特徴とする可搬型音声合成装置。
【請求項２】
請求項１のＵＳＢコネクタ等を有する可搬型外部記憶媒体において、生成した合成音声を該可搬型外部記憶媒体に音声ファイルとして書き込む合成音声格納領域を有することを特徴とする可搬型音声合成装置。
【請求項３】
請求項１のＵＳＢコネクタ等を有する可搬型外部記憶媒体において、生成した合成音声を格納した該可搬型外部記憶媒体のメモリ領域に空き容量があるか否かを判定するメモリ残量算出手段を有することを特徴とする可搬型音声合成装置。
【請求項４】
請求項３のＵＳＢコネクタ等を有する可搬型外部記憶媒体において、該可搬型外部記憶媒体のメモリ領域の容量が予め設定したしきい値よりも少ないと判定された場合に、動作している音声合成手段を停止し新たに音声合成を実行することを不可能とする音声合成停止手段を有することを特徴とする可搬型音声合成装置。
【請求項５】
請求項４の可搬型音声合成装置において、音声合成の実行が不可能となった場合に、該可搬型外部記憶媒体に格納されている音声ファイルを消去し再度音声ファイルを格納可能にする合成音声格納領域クリア手段を、サーバもしくは可搬型音声合成装置自身が有することを特徴とする可搬型音声合成装置。
【請求項６】
請求項５の可搬型音声合成装置を用い、音声合成の実行が不可能となった場合に、ユーザに所定の金額の課金を行ない該可搬型外部記憶媒体に格納されている音声ファイルを消去し再度音声ファイルを格納可能にする課金手段手段をサーバが有することを特徴とする可搬型音声合成装置の再利用サービス。
【発明の詳細な説明】
【技術分野】
【０００１】
本発明は、ＵＳＢコネクタ等を有する可般型の記憶媒体に格納された音声合成装置に関する。
【背景技術】
【０００２】
任意文章を合成音声に変換する技術は、テキスト音声合成と呼ばれ、テキスト情報のみから任意の文音声を生成できるため、その適用分野は極めて広く、近年音質が著しく向上したことにより、実用に供するようになってきた。
【０００３】
テキスト音声合成は、入力されたテキストに対して言語処理を行い、読みやアクセントの情報を示す中間記号列を生成した後、基本周波数パタンや音素継続時間長などの韻律パラメータを決定し、韻律パラメータに合わせて音声波形を生成するものである。
【０００４】
テキスト音声合成を用いた装置は、パーソナルコンピュータや携帯電話などの、個人用途から業務用の音声ガイダンスシステムに至るまで、様々な装置形態を持ち、それぞれ用途に応じた音声合成手段および音声合成用データが用いられる。様々な装置形態に起因する記憶容量の制限や用途に応じて音声合成用データを構成することが、高品質の音声合成を実現するために必要とされている。
【０００５】
特に、可般型の記録媒体で音声合成装置を実現する際には、記憶容量が充分確保できないため、音声合成用のデータは、大きく圧縮するか、特定の単語のみを高品質に合成できるようにデータが削減することにより実現している。
【０００６】
このようにして、可般型の記録媒体で音声合成装置を実現することは可能になってきた。
【発明の開示】
【発明が解決しようとする課題】
【０００７】
しかしながら、上記のような可般型の記録媒体で実現した音声合成装置をユーザに販売するビジネスを実施した場合、ユーザは、一度該音声合成装置を購入すれば無制限に該音声合成装置を使用できるため、大きなビジネスモデルが構築しにくいという問題があった。
【０００８】
本発明は、上記の問題を解決するものであり、ユーザの使用量を制限できる可般型音声合成装置を提供する。また、ユーザがある所定の使用料金を支払うことにより、該可般型音声合成装置の使用制限を解除できるようにする方法を提供するものである。
【課題を解決するための手段】
【０００９】
本発明は、上記目的を達成するために、テキスト列を入力し合成音声に変換する音声合成プログラム及び該音声合成のために使用する素片データを格納した、パソコン本体に装着しユーザのコマンド入力により起動するＵＳＢメモリ等可搬型外部記憶媒体において、生成した合成音声を該可搬型外部記憶媒体に音声ファイルとして書き込む合成音声格納手段をもつようにする。
【００１０】
また、本発明は、生成した合成音声を該可搬型外部記憶媒体に音声ファイルとして書き込む合成音声格納領域をもつようにする。
【００１１】
さらに、本発明は、生成した合成音声を格納した該可搬型外部記憶媒体のメモリ領域に空き容量があるか否かを判定するメモリ残量算出手段をもたせるようにする。
【００１２】
また、本発明は、該可搬型外部記憶媒体のメモリ領域の容量が予め設定したしきい値よりも少ないと判定された場合に、動作している音声合成処理を停止する音声合成停止手段をもたせ新たに音声合成を実行することを不可能とするようにする。
【００１３】
さらに、本発明は、音声合成の実行が不可能となった場合に、該可搬型外部記憶媒体に格納されている音声ファイルを消去し再度音声ファイルを格納可能にする合成音声格納領域クリア手段を、サーバもしくは可搬型音声合成装置自身にもたせるようにする。
【００１４】
また、本発明は、音声合成の実行が不可能となった場合に、ユーザに所定の金額の課金を行ない該可搬型外部記憶媒体に格納されている音声ファイルを消去し再度音声ファイルを格納可能にする課金手段手段をサーバにもたせるようにする。
【発明の効果】
【００１５】
本発明によれば、テキスト列を入力し合成音声に変換する音声合成プログラム及び該音声合成のために使用する素片データを格納した、パソコン本体に装着しユーザのコマンド入力により起動するＵＳＢメモリ等可搬型外部記憶媒体において、生成した合成音声を該可搬型外部記憶媒体に音声ファイルとして書き込む合成音声格納手段をもつようにすることにより、ユーザが該音声合成機能を使用する量を測定することが可能になる。
【００１６】
また、本発明によれば、生成した合成音声を該可搬型外部記憶媒体に音声ファイルとして書き込む合成音声格納領域をもつようにするため、ユーザが該可搬型外部記憶媒体毎に、該音声合成機能を使用できる量の相違を持たせることが可能になる。
【００１７】
また、本発明によれば、生成した合成音声を格納した該可搬型外部記憶媒体のメモリ領域に空き容量があるか否かを判定するメモリ残量算出手段をもたせるようにするため、ユーザが該音声合成機能を使用する量を制限することが可能になる。
【００１８】
また、本発明によれば、該可搬型外部記憶媒体のメモリ領域の容量が予め設定したしきい値よりも少ないと判定された場合に、動作している音声合成処理を停止する音声合成停止手段をもたせるため、新たに音声合成を実行することを不可能とするようにできる。
【００１９】
また、本発明によれば、音声合成の実行が不可能となった場合に、該可搬型外部記憶媒体に格納されている音声ファイルを消去し再度音声ファイルを格納可能にする合成音声格納領域クリア手段を、サーバもしくは可搬型音声合成装置自身にもたせるようにするため、再度、ユーザが音声合成の実行が不可能となった該可搬型外部記憶媒体を再利用することができるようになる。
【００２０】
また、本発明によれば、音声合成の実行が不可能となった場合に、ユーザに所定の金額の課金を行ない該可搬型外部記憶媒体に格納されている音声ファイルを消去し再度音声ファイルを格納可能にする課金手段手段をサーバにもたせるようにするため、ユーザに所定の金額を支払い、再度、ユーザが音声合成の実行が不可能となった該可搬型外部記憶媒体を再利用することができるビジネスモデルを提供することが可能になる。
【発明を実施するための最良の形態】
【００２１】
以下、本発明の実施形態について説明する。
図１は、本発明の第1の実施形態を示すブロック図であり、テキスト列を入力し合成音声に変換する音声合成プログラム及び該音声合成のために使用する素片データを格納したＵＳＢメモリ等可搬型外部記憶媒体を使用する音声合成システムを示すブロック図である。また、本発明の第1の実施形態の処理フローを図１２及び図１３に示す。
【００２２】
本実施形態の音声合成装置は、ＵＳＢコネクタ６をもつ可搬型外部記憶媒体７に、テキスト列を入力し合成音声に変換する音声合成プログラム８と、該音声合成プログラム８によって合成された音声を合成音声格納領域１４に格納する合成音声格納プログラム９と、音声を格納する合成音声格納領域１４の空き領域残量を算出するメモリ残量算出プログラム１０と、音声合成プログラム８の動作停止する音声合成停止プログラム１１とを格納し、素片データ領域１２と、辞書データ領域１３と、合成音声格納領域１４を具備する。
【００２３】
まず、ユーザは、上記音声合成装置であるＵＳＢコネクタ６をもつ可搬型外部記憶媒体７を、パーソナルコンピュータ１５に挿入する（ステップＳ１０１）。次に、ユーザがパーソナルコンピュータ１５のモニタ１７の画面上のあるオブジェクトをクリックするなどしてコマンドを入力すると（ステップＳ１０２）、ＵＳＢコネクタ６をもつ可搬型外部記憶媒体７上の音声合成プログラム８が起動する（ステップＳ１０３）。その際の画面の例を図５に示す。ただし、ユーザにコマンド入力を促す画面はこの例に限定されるものではない。あるいは、特許第3767818号記載の技術などを用いて、ＵＳＢメモリを挿入し、自動的に音声合成プログラム８が起動するようにすることもできる。
【００２４】
音声合成プログラム８が起動すると、パーソナルコンピュータ１５のモニタ１７の画面はテキスト入力を受け付けるモードになる（ステップＳ１０４）。その際の画面の例を図６に示す。ただし、テキスト入力を受け付ける画面はこの例に限定されるものではない。続いて、ユーザがキーボード１６によってテキストを入力し、画面上の音声合成開始ボタンを押下すると（ステップＳ１０５）、該テキストは、言語処理モジュール５１に送られる。なお、テキストを入力する方法は、キーボード入力に限定されるものではなく、例えば、パーソナルコンピュータ１５のメモリ１やハードディスク３にすでにテキストデータが格納されている場合は、そのデータをユーザが選択することにようにしてもよい。もしくは、パーソナルコンピュータ１５のメモリ１やハードディスク３にあらかじめ記憶されているスケジューラや各種アプリケーションプログラム、あるいはクリップボードがテキストデータを供給する場合には、これらのテキストデータを用いるようにしてもよい。
【００２５】
言語処理モジュール５１に送られたテキストデータは、形態素解析や構文解析により、可搬型外部記憶媒体７の辞書データ領域１３に格納されている形態素辞書を用いて、各形態素の読み情報、アクセント位置情報などを付与したのち、読みアクセント記号列に変換される（ステップＳ１０６）。該読みアクセント記号列は、韻律計算モジュール５２に送られ、読みアクセント記号列を形成する各音素の長さや、文全体の基本周波数パタンが計算される（ステップＳ１０７）。前記各音素の長さや文全体の基本周波数パタンの計算には、例えば、矢頭「テキスト音声合成技術の最新状況」（Interface12月号、ＣＱ出版、1996）P.161からP.168に記載されている方法が使える。もちろん、他の韻律計算方式を使うこともできる。次に、前記各音素の長さや文全体の基本周波数パタンが計算された読みアクセント記号列は、素片選択モジュール５３に送られる。素片選択モジュール５３では、送られた読みアクセント記号列に応じて、可搬型外部記憶媒体７の素片データ領域１３に格納されている「a」「k」「s」などの素片を順次選択していく（ステップＳ１０８）。素片は、「a」「k」「s」などの音素に限定されることはなく、「a」「ka」「sa」などの音節や「aka」「aki」「asa」などの音素の連鎖を用いてもよい。続いて、素片接続モジュール５４にて、前記素片を前記読みアクセント記号列にしたがって接続する（ステップＳ１０９）。その際に、前記韻律計算モジュール５２で計算した各音素の長さや文全体の基本周波数パタンにしたがって、制御を行ないながら接続する。その方法には、例えば、矢頭「テキスト音声合成技術の最新状況」（Interface12月号、ＣＱ出版、1996）P.161からP.168に記載されている方法などを使うことができる。もちろん、他にも、公知であるいろいろな接続方法を使うこともできる。
【００２６】
以上のようにして音声が合成されると、合成音声格納プログラム９、および、メモリ残量算出プログラム１０が起動される（ステップＳ２０１）。まず、合成音声格納プログラム９が、前記合成された音声を合成音声格納領域１４に格納する（ステップＳ２０２）。この合成音声格納プログラム９は、前記合成された音声を合成音声格納領域１４に格納する際に、パーソナルコンピュータ１５の音声出力手段４を通じて内蔵されたスピーカ１８から、前記合成された音声を出力するようにしてもよいし（ステップＳ２０３）、パーソナルコンピュータ１５に接続された外部スピーカやヘッドホンに出力するようにしてもよい。一方、メモリ残量算出プログラム１０は、合成音声格納プログラム９が合成音声を合成音声格納領域１４に格納するたびに、該合成音声格納領域１４の空き容量を算出する（ステップＳ２０４）。このメモリの空き容量の算出は、例えば、WindowsＸＰなどＯＳのもつメモリチェック機能などを用いることによって容易に実現できる。
【００２７】
続いて、音声合成停止プログラム１１が起動される。該音声合成停止プログラム１１は、前記残量算出プログラム１０が算出した合成音声格納領域１４の空き容量αと、あらかじめ定めてあるメモリ使用上限のしきい値βとを比較し(ステップＳ２０５)、α≦βであれば、音声合成プログラム８及び合成音声格納プログラム９の動作を停止し終了処理するようにする(ステップＳ２０６)。このことにより、ユーザが、可搬型外部記憶媒体７上の音声合成プログラム８を用いてある一定量以上合成音声を生成すると、それ以上音声を合成することができなくなる。その際に、パーソナルコンピュータ１５のモニタ１７の画面に、「音声を合成することができません」などのメッセージを表示するようにしてもよい。なお、メモリ使用上限のしきい値βは、あらかじめ、前記音声合成停止プログラム１１の中に設定されていてもよいし、可搬型外部記憶媒体７の一部にあらかじめ格納されているようにしてもよい。なお、α>βであり前記音声合成プログラム８が停止しない限りは、ユーザはキーボード１６によってテキストを入力することができる。
【００２８】
次に、本発明の第２の実施形態について、図３のブロック図及び図１４の処理フローを用いて説明する。第２の実施形態では、図３のように、パーソナルコンピュータ１５に合成音声格納領域クリア手段１９を具備させる。あるいは、メモリ1に、合成音声格納領域クリアプログラムとしてインストール、格納させるようにしてもよい。ここでは、合成格納領域クリア手段１９を具備したパーソナルコンピュータをサーバとして使用する場合を例に説明する。ユーザがパーソナルコンピュータ１５のモニタ１７の画面上のある特定のオブジェクトをクリックするなどしてコマンドを入力することにより（ステップＳ３０１）、合成音声格納領域クリア手段１９が起動される（ステップＳ３０２）。その際の画面の例を図７に示す。ただし、テキスト入力を受け付ける画面はこの例に限定されるものではない。該合成音声格納領域クリア手段１９は、可搬型外部記憶媒体７上の合成音声格納領域１４に格納されている全ての音声データを消去する（ステップＳ３０３）。このように、第２の実施形態により、ユーザは、再度、可搬型外部記憶媒体７を用いて音声を合成することが可能になる。
【００２９】
次に、本発明の第３の実施形態について、図３及び図１５の処理フローを用いて説明する。第３の実施形態では、第２の実施形態において、ユーザが、図７の例のようなパーソナルコンピュータ１５のモニタ１７の画面上のある特定のオブジェクトをクリックするなどしてコマンドを入力することにより（ステップＳ３０１）、課金手段２０が起動されるようにし（ステップＳ３０４）、該課金手段２０がパーソナルコンピュータ１５が具備した現金投入装置２１を使用可能にし（ステップＳ３０５）、ユーザがあらかじめ定められた料金に相当する現金を投入し（ステップＳ３０６）、課金手段２０が該投入された現金が前記所定の金額であることを確認できれば（ステップＳ３０７）、合成音声格納領域クリア手段１９を起動する（ステップＳ３０２）ようにする。なお、課金手段２０が、該投入された現金が前記所定の金額であることを確認できなければ、処理を終了する。
【００３０】
このように、第３の実施形態により、ユーザは、所定の金額の現金をサーバの現金投入手段２０に投入すれば、可搬型外部記憶媒体７を用いて音声を合成することが可能になる。
【００３１】
さらに、本発明の第４の実施形態として、ユーザが現金を投入するのではなく、図４のように、課金手段２０が、通信ネットワーク２２を通じて、例えば、銀行のユーザの口座に接続し所定の金額を課金するようにしてもよい。この第４の実施形態について、図４及び図１６の処理フローを用いて説明する。この場合は、ユーザがパーソナルコンピュータ１５のモニタ１７の画面上のある特定のオブジェクトをクリックするなどしてコマンドを入力することにより（ステップＳ４０１）、課金手段２０が起動されるようにする（ステップＳ４０２）。課金手段２０が、パーソナルコンピュータ１５のモニタ１７の画面上に、銀行名や口座番号、口座名義人等の入力を促すような入力要求画面を表示する（ステップＳ４０３）。その際の画面の例を図８に示す。ただし、テキスト入力を受け付ける画面はこの例に限定されるものではない。ユーザがこれら銀行名や口座番号、口座名義人等の情報を入力し指定する（ステップＳ４０４）と、課金手段２０がネットワークを通じて該指定された銀行の該指定された口座に接続し（ステップＳ４０５）、所定の金額を該指定された口座から引き落とすことが可能かどうかを確認する（ステップＳ４０６）。引き落とすことが可能であれば、所定の金額を該指定された口座から引き落とすようにする（ステップＳ４０７）。このネットワークを通じた課金の方法は、現在行なわれている様々なネットワークショッピングの公知技術を使うことができる。課金手段２０が前記指定銀行の指定口座からの引き落としが可能であることを確認できた場合に限り、合成音声格納領域クリア手段１９を起動するようにする（ステップＳ４０８）。該合成音声格納領域クリア手段１９は、可搬型外部記憶媒体７上の合成音声格納領域１４に格納されている全ての音声データを消去する（ステップＳ４０９）。なお、課金手段２０が、ネットワークを通じて該指定された銀行の該指定された口座に接続し、所定の金額を該指定された口座から引き落とすことが可能かどうかを確認できなければ、処理を終了する。
【００３２】
このように、第３の実施形態により、ユーザは、通信ネットワーク２２を通じて、指定した銀行口座から所定の金額を支払うことにより、可搬型外部記憶媒体７を用いて音声を合成することが可能になる。
【００３３】
一方、合成音声格納領域クリア手段を、サーバ側ではなく、音声合成プログラムが格納された可搬型外部記憶媒体に保持させることも可能である。この場合の実施形態について、以下説明する。
【００３４】
図９は、本発明の第５の実施形態を説明するための図である。第５の実施形態では、ＵＳＢコネクタ６をもつ可搬型外部記憶媒体７に合成音声格納領域クリアプログラム２３を格納しており、ユーザがパーソナルコンピュータ１５のモニタ１７の画面上のある特定のオブジェクトをクリックするなどしてコマンドを入力することにより、可搬型外部記憶媒体７上の合成音声格納領域クリアプログラム２３が起動される。その際の画面の例は図７に示したものと同様の画面でよく、同図上部のディスク（Ｃ）が例えばリムーバブルディスク（Ｆ）などとなる。ただし、テキスト入力を受け付ける画面はこの例に限定されるものではない。該合成音声格納領域クリアプログラム２３は、可搬型外部記憶媒体７上の合成音声格納領域１４に格納されている全ての音声データを消去する。その際に、ユーザが、図７の例のようなパーソナルコンピュータ１５のモニタ１７の画面上のある特定のオブジェクトをクリックするなどしてコマンドを入力することにより、課金手段２０が起動されるようにし、該課金手段２０がパーソナルコンピュータ１５が具備した現金投入装置２１を使用可能にし、ユーザがあらかじめ定められた料金に相当する現金を投入し、課金手段２０が該投入された現金が前記所定の金額であることを確認し、合成音声格納領域クリアプログラム２３を起動するようにしてもよい。このように、第５の実施形態により、ユーザは、所定の金額の現金をサーバの現金投入手段２０に投入すれば、可搬型外部記憶媒体７を用いて音声を合成することが可能になる。
【００３５】
さらに、本発明の第５の実施形態とは別の第６の実施形態として、ユーザが現金を投入するのではなく、図１０のように、課金手段２０が、通信ネットワーク２２を通じて、例えば、銀行のユーザの口座に接続し所定の金額を課金するようにしてもよい。この場合は、ユーザがパーソナルコンピュータ１５のモニタ１７の画面上のある特定のオブジェクトをクリックするなどしてコマンドを入力することにより、課金手段２０が起動されるようにする。課金手段２０が、パーソナルコンピュータ１５のモニタ１７の画面上に、銀行名や口座番号、口座名義人等の入力を促すような入力要求画面を表示する。その際の画面の例はやはり図８と同様のものでよい。ただし、テキスト入力を受け付ける画面はこの例に限定されるものではない。ユーザがこれら銀行名や口座番号、口座名義人等の情報を入力し指定すると、課金手段２０がネットワークを通じて該指定された銀行の該指定された口座に接続し、所定の金額を該指定された口座から引き落とすようにする。このネットワークを通じた課金の方法は、現在行なわれている様々なネットワークショッピングの公知技術を使うことができる。課金手段２０が前記指定銀行の指定口座からの引き落としが可能であることを確認できた場合に、合成音声格納領域クリアプログラム２３を起動するようにする。該合成音声格納領域クリアプログラム２３は、可搬型外部記憶媒体７上の合成音声格納領域１４に格納されている全ての音声データを消去する。このように、第６の実施形態により、ユーザは、通信ネットワーク２２を通じて、指定した銀行口座から所定の金額を支払うことにより、可搬型外部記憶媒体７を用いて音声を合成することが可能になる。
【００３６】
なお、第1、第２、第３、第４、第５、第６の各実施形態において、図１１のように音声合成プログラム８にメモリ残量算出モジュール５５を持たせておいて、音声合成プログラム８が起動した直後に、まず、該メモリ残量算出モジュール５５が起動されて、可搬型外部記憶媒体７上の合成音声格納領域１４の空き容量を算出するようにしてもよい。続いて、前記メモリ残量算出モジュール５５が算出した合成音声格納領域１４の空き容量α
と、あらかじめ定めてあるメモリ使用上限のしきい値γとを比較し、α≦γであれば、音声合成プログラム８を終了する。このことにより、ユーザが、可搬型外部記憶媒体７上に充分な空き容量がない場合は、音声合成プログラム８が使用不能にすることができる。その際に、パーソナルコンピュータ１５のモニタ１７の画面に、「音声を合成することができません」などのメッセージを表示するようにしてもよい。なお、メモリ使用上限のしきい値γは、あらかじめ、前記メモリ残量算出モジュール５５の中に設定されていてもよいし、可搬型外部記憶媒体７の一部にあらかじめ格納されているようにしてもよい。
【図面の簡単な説明】
【００３７】
【図１】本発明の第１の実施形態を示すブロック図である。
【図２】本発明の第１の実施形態における音声合成プログラムのモジュール構成を示す図である。
【図３】本発明の第２及び第３の実施形態を示すブロック図である。
【図４】本発明の第４の実施形態を示すブロック図である。
【図５】本発明の第１の実施形態においてユーザがクリックによりコマンドを入力する画面の例を示す図である。
【図６】本発明の第１の実施形態においてテキスト入力を受け付ける画面の例を示す図である。
【図７】本発明の第２及び題３の実施形態においてユーザがクリックによりコマンドを入力する画面の例である。
【図８】本発明の第４の実施形態において、ユーザに銀行名や口座番号、口座名義人等の入力を促すような入力要求画面の例を示す図である。
【図９】本発明の第５の実施形態を説明するためのブロック図である。
【図１０】本発明の第６の実施形態を説明するためのブロック図である。
【図１１】本発明の第1、第２、第３、第４、第５、第６の各実施形態において、メモリ残量算出モジュールを音声合成プログラムにもたせた場合のモジュール構成を示す図である。
【図１２】本発明の第１の実施形態を説明するための処理フロー図その１である。
【図１３】本発明の第１の実施形態を説明するための処理フロー図その２である。
【図１４】本発明の第２の実施形態を説明するための処理フロー図である。
【図１５】本発明の第３の実施形態を説明するための処理フロー図である。
【図１６】本発明の第４の実施形態を説明するための処理フロー図である。
【符号の説明】
【００３８】
１・・・メモリ、２・・・ＣＰＵ、３・・・ハードディスク、４・・・音声出力手段、５・・・ＵＳＢポート、６・・・ＵＳＢコネクタ、７・・・可搬型外部記憶装置、８・・・音声合成プログラム、９・・・合成音声格納プログラム、１０・・・メモリ残量算出プログラム、１１・・・音声合成停止プログラム、１２・・・素片データ領域、１３・・・辞書データ領域、１４・・・合成音声格納領域、１５・・・パーソナルコンピュータ、１６・・・キーボード、１７・・・モニタ、１８・・・スピーカ、１９・・・合成音声格納領域クリア手段、２０・・・課金手段、２１・・・現金投入装置、２２・・・通信ネットワーク、２３・・・合成音声格納領域クリアプログラム。
【図１】
2008040374.tif 000003
【図２】
2008040374.tif 000004
【図３】
2008040374.tif 000005
【図４】
2008040374.tif 000006
【図５】
2008040374.tif 000007
【図６】
2008040374.tif 000008
【図７】
2008040374.tif 000009
【図８】
2008040374.tif 000010
【図９】
2008040374.tif 000011
【図１０】
2008040374.tif 000012
【図１１】
2008040374.tif 000013
【図１２】
2008040374.tif 000014
【図１３】
2008040374.tif 000015
【図１４】
2008040374.tif 000016
【図１５】
2008040374.tif 000017
【図１６】
2008040374.tif 000018